(57)【要約】【課題】発光体を備えたシュレッダーの提供。【解決手段】本考案は一種のシュレッダーに関わるものである。シュレッダー底部の紙吐き出し口付近場所に発光体を設け、該発光体はシュレッダーのモーター起動電気回路と電気接続しておく。モーターを起動しシュレッダーのカッターが作動する同時に、発光体を同期して点灯し、モーターの作動中止により消灯し、書類寸断作業の楽しさを与える。【選択図】図２
0003127118.tif 000002
【実用新案登録請求の範囲】
【請求項１】
シュレッダーの底部紙吐き出し口付近場所に一つ以上の発光体を設け、該発光体をシュレッダーモーターの電気回路と電気接続しておき、モーターによりシュレッダーカッターを起動すると同時に、発光体も同期に点灯し、書類寸断操作完了後、モーター稼働中止と同時に消灯することを特徴とする発光体を備えたシュレッダー。
【請求項２】
請求項１記載の発光体を備えたシュレッダーにおいて、該発光体は発光ダイオード（Ｌｉｇｈｔ  Ｅｍｉｔｔｉｎｇ  Ｄｉｏｄｅ，  ＬＥＤ）であることを特徴とする発光体を備えたシュレッダー。
【請求項３】
請求項２記載の発光体を備えたシュレッダーにおいて、複数のＬＥＤ発光体は、多色の発光モジュール（ＲＧＢ）または回転灯方式により、電光変換効果を向上することを特徴とする発光体を備えたシュレッダー。
【請求項４】
請求項２記載の発光体を備えたシュレッダーにおいて、該発光体は、他種の発光源を用いることを特徴とする発光体を備えたシュレッダー。
【考案の詳細な説明】
【技術分野】
【０００１】
本考案はシュレッダー、特に一種の書類寸断操作の楽しさを与えるための発光体を備えたシュレッダーに関わるものである。
【背景技術】
【０００２】
周知のとおり、書類を寸断するシュレッダーの動作原理は、複数のカッター（ｃｕｔｔｉｎｇ  ｂｌａｄｅｓ）をスペーサー（ｓｐａｃｅｒｓ）と合せて回転シャフト（ｒｏｔａｒｙ  ｓｈａｆｔｓ）に穿設、モーターと歯車装置（ｍｏｔｏｒ  ａｎｄ  ｇｅａｒｂｏｘ）により、該二つの平行、かつ、向かい合わせた回転するカッターシャフトより、通過する紙を細い片状に寸断する。シュレッダーは機械寸断のパターンにより、片状シュレッダー（ｓｔｒｉｐ−ｃｕｔ  ｓｈｒｅｄｄｅｒｓ）と粉砕式シュレッダー（ｃｒｏｓｓ−ｃｕｔ  ｓｈｒｅｄｄｅｒｓ）の２種類に分ける。前者はカッターを回転カッターホイルに配列し、紙を縦方向に長い片状を寸断する。後者はカッターに一つ以上の鉤状カッターを設け、カッターは回転カッターホイルにおいて、らせん状に配列し、紙を縦方向に片状を寸断した後、さらに横方向に約４ ｍｍ Ｘ ４０ｍｍの粉砕紙片を再カットする。販売するとき、前記の片状シュレッダーまたは粉砕式シュレッダーとも、屑紙を集めるための紙屑籠（ｂａｓｋｅｔ  ｏｒ  ｂｉｎ）を標準に添付されている。
【０００３】
シュレッダーはモーター負荷、カッターおよび回転カッターホイルの強度に従い、シュレッダーの最大の紙仕込容量（Ｓｈｅｅｔ  ｃａｐａｃｉｔｙ）制限がある。すなわち、寸断する紙の枚数が多いとき、利用者は該シュレッダーが許容する最大紙仕込み容量制限以下に、紙を数回に分けて、手動で仕込まなければならない。今までの経験から、紙の寸断操作を繰り返すことは非常に単調無味であることが分かる。よって、紙寸断過程に楽しさを与えることは、業界の重要な開発課題となっている。
【考案の開示】
【考案が解決しようとする課題】
【０００４】
本考案の主な目的は、一種の発光体を備えたシュレッダーを提供する、モーターによりシュレッダーカッターを起動すると同時に、発光体を同期して点灯し、モーターの作動中止により消灯し、書類寸断作業の楽しさを与える。
【０００５】
前記の目的を達成するため、本考案において、一種のシュレッダーを提供し、シュレッダー底部の紙吐き出し口付近場所に発光体を設け、該発光体はシュレッダーのモーター起動電気回路と電気接続しておく。モーターを起動しシュレッダーのカッターが作動する同時に、発光体を同期して点灯し、モーターの作動中止により消灯し、書類寸断作業の楽しさを与える。
【課題を解決するための手段】
【０００６】
請求項１の考案は、シュレッダーの底部紙吐き出し口付近場所に一つ以上の発光体を設け、該発光体をシュレッダーモーターの電気回路と電気接続しておき、モーターによりシュレッダーカッターを起動すると同時に、発光体も同期に点灯し、書類寸断操作完了後、モーター稼働中止と同時に消灯することを特徴とする発光体を備えたシュレッダーとしている。
請求項２の考案は、請求項１記載の発光体を備えたシュレッダーにおいて、該発光体は発光ダイオード（Ｌｉｇｈｔ  Ｅｍｉｔｔｉｎｇ  Ｄｉｏｄｅ，  ＬＥＤ）であることを特徴とする発光体を備えたシュレッダーとしている。
請求項３の考案は、請求項２記載の発光体を備えたシュレッダーにおいて、複数のＬＥＤ発光体は、多色の発光モジュール（ＲＧＢ）または回転灯方式により、電光変換効果を向上することを特徴とする発光体を備えたシュレッダーとしている。
請求項４の考案は、請求項２記載の発光体を備えたシュレッダーにおいて、該発光体は、他種の発光源を用いることを特徴とする発光体を備えたシュレッダーとしている。
【考案の効果】
【０００７】
本考案は一種の発光体を備えたシュレッダーを提供する、モーターによりシュレッダーカッターを起動すると同時に、発光体を同期して点灯し、モーターの作動中止により消灯し、書類寸断作業の楽しさを与える。
【考案を実施するための最良の形態】
【０００８】
図１に示すものは、本考案による発光体を設けたシュレッダーの立体概略図であり、図２に示すものは、本考案の実施態様図である。
【０００９】
図示のとおり、シュレッダー底部紙吐き出し口１１付近場所に、一つ以上の発光体２を設け、該発光体２に複数の発光ダイオード（Ｌｉｇｈｔ  Ｅｍｉｔｔｉｎｇ  Ｄｉｏｄｅ，  ＬＥＤ）または他種の発光源を使用する。該発光体２とシュレッダー１モーターの起動電気回路（図示していない）と電気接続２１しておく、モーターによりシュレッダーカッター１２（図示していない）を作動し始めるとき、発光体２を同期に点灯し、書類寸断操作完了後、モーターの稼働中止により消灯する。よって、種類寸断操作のとき、寸断した後の寸断紙屑４は紙吐き出し口１１より下部に取り付けた紙屑籠３に落としたとき、発光体２に備える電球の照射により、従来と異なった視覚感覚を与えることにより、書類寸断操作の楽しさを提供するほか、利用者は書類の寸断結果を自分の目で確認できる。
【００１０】
該複数のＬＥＤ発光体２はさらに、多色の発光モジュール（ＲＧＢ）または回転灯方式により点灯を変更して、視覚感覚を刺激し、書類寸断操作の楽しさを提供する。
【図面の簡単な説明】
【００１１】
【図１】本考案において、発光体を備えたシュレッダー底部の立体概略図である。
【図２】本考案の実施態様の概略図である。
【符号の説明】
【００１２】
１  シュレッダー
１１  底部の紙吐き出し口
１２  書類寸断カッター
２  発光体
２１  電気接続
３  紙屑籠
４  寸断紙屑
【図１】
0003127118.tif 000003
【図２】
0003127118.tif 000004
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
シュレッダーの底部紙吐き出し口付近場所に一つ以上の発光体を設け、該発光体をシュレッダーモーターの電気回路と電気接続しておき、モーターによりシュレッダーカッターを起動すると同時に、発光体も同期に点灯し、書類寸断操作完了後、モーター稼働中止と同時に消灯することを特徴とする発光体を備えたシュレッダー。
【請求項２】
請求項１記載の発光体を備えたシュレッダーにおいて、該発光体は発光ダイオードであることを特徴とする発光体を備えたシュレッダー。
【請求項３】
請求項２記載の発光体を備えたシュレッダーにおいて、複数のＬＥＤ発光体は、多色の発光モジュールまたは回転灯方式により、電光変換効果を向上することを特徴とする発光体を備えたシュレッダー。
【請求項４】
請求項２記載の発光体を備えたシュレッダーにおいて、該発光体は、他種の発光源を用いることを特徴とする発光体を備えたシュレッダー。